(57)【要約】【課題】薬剤を処方された際の医師の診察内容を容易に確認可能とする。【解決手段】医師端末１は、診察を識別する診察識別情報と、診察で処方する薬剤を示す薬剤情報とを含む処方情報を出力し、診察の際に録音した音声の音声情報と、診察識別情報とを送信する。薬局端末２は、出力された処方情報に含まれる診察識別情報を記録した薬ケース５を発行するプリンタ３ａを備える。サーバ装置４は、送信された音声情報と、診察識別情報とを診察情報ＤＢ４１に記憶し、端末装置７からの診察識別情報の通知に応じて、その診察識別情報に対応した音声情報を端末装置７へ送信する。【選択図】図１
2012113550.tif 000002
【特許請求の範囲】
【請求項１】
診察の際の音声を録音する録音手段、
音声を録音した前記診察を識別する診察識別情報と、前記診察で処方する薬剤を示す薬剤情報とを含む処方情報を出力する処方情報出力手段、
前記診察の際に録音した音声の音声情報と、前記診察識別情報とを送信する送信手段を備える医師端末と、
出力された前記処方情報に含まれる診察識別情報を記録した薬ケースを発行する発行手段を備える薬局端末と、
送信された前記音声情報と、前記診察識別情報とを記憶する記憶手段、
外部機器からの前記診察識別情報の通知に応じて、当該診察識別情報に対応した音声情報を前記外部機器へ送信する送信手段を備えるサーバ装置と、
を有することを特徴とする薬局システム。
【請求項２】
前記サーバ装置は、前記外部機器の認証を行う認証手段を更に備え、
前記送信手段は、前記認証手段により認証された外部機器へ、前記通知に応じた音声情報の送信を行うこと、
を特徴とする請求項１に記載の薬局システム。
【請求項３】
診察の際の音声を録音する録音手段、
音声を録音した前記診察を識別する診察識別情報と、前記診察で処方する薬剤を示す薬剤情報とを含む処方情報を出力する処方情報出力手段、
前記診察の際に録音した音声の音声情報と、前記診察識別情報とを送信する送信手段を備える医師端末と、
出力された前記処方情報に含まれる診察識別情報と対応して送信された前記音声情報を記憶手段に記憶させた薬ケースを発行する発行手段を備える薬局端末とを有し、
前記薬ケースは、
前記記憶手段に記憶された前記音声情報の再生指示を受け付ける操作手段、
前記再生指示に応じて記憶された前記音声情報の再生を行う音声再生手段を備えること、
を特徴とする薬局システム。
【請求項４】
前記発行手段は、前記処方情報に含まれる薬剤情報をもとに、当該薬剤情報が示す薬剤の投薬にかかる時刻情報を前記記憶手段に記憶させ、
前記薬ケースは、現在時刻を計時する計時手段を更に備え、
前記音声再生手段は、計時された現在時刻が記憶された前記時刻情報が示す時刻に該当する場合に音声報知を行うこと、
を特徴とする請求項３に記載の薬局システム。
【請求項５】
診察の際に録音した音声の音声情報を記憶する記憶手段と、
前記記憶手段に記憶された前記音声情報の再生指示を受け付ける操作手段と、
前記再生指示に応じて記憶された前記音声情報の再生を行う音声再生手段と、
を備えることを特徴とする薬ケース。
【請求項６】
現在時刻を計時する計時手段を更に備え、
前記記憶手段は、前記診察で処方された薬剤の投薬にかかる時刻情報を記憶し、
前記音声再生手段は、計時された現在時刻が記憶された前記時刻情報が示す時刻に該当する場合に音声報知を行うこと、
を特徴とする請求項５に記載の薬ケース。
【発明の詳細な説明】
【技術分野】
【０００１】
本発明の実施形態は、薬局システム及び薬ケースに関する。
【背景技術】
【０００２】
従来、医師が処方した処方箋に基づいて薬剤を薬ケースに入れて処方する薬局システムでは、処方した薬剤の薬剤説明書を薬ケースにプリントアウトすることで、処方した薬剤の詳細を分かりやすくしている。
【発明の概要】
【発明が解決しようとする課題】
【０００３】
しかしながら、上述した従来技術では、薬ケースを見ることでその薬ケースに入れて処方された薬剤の詳細を確認できるが、薬剤を処方された際の医師の診察内容を確認することはできなかった。例えば、患者によっては、処方された薬剤の詳細よりも、診察時における医師のアドバイスを確認したいという要望があった。
【課題を解決するための手段】
【０００４】
上述した課題を解決するために、実施形態の薬局システムは、診察の際の音声を録音する録音手段、音声を録音した前記診察を識別する診察識別情報と、前記診察で処方する薬剤を示す薬剤情報とを含む処方情報を出力する処方情報出力手段、前記診察の際に録音した音声の音声情報と、前記診察識別情報とを送信する送信手段を備える医師端末と、出力された前記処方情報に含まれる診察識別情報を記録した薬ケースを発行する発行手段を備える薬局端末と、送信された前記音声情報と、前記診察識別情報とを記憶する記憶手段、外部機器からの前記診察識別情報の通知に応じて、当該診察識別情報に対応した音声情報を前記外部機器へ送信する送信手段を備えるサーバ装置と、を有することを特徴とする。
【０００５】
また、別の実施形態の薬局システムは、診察の際の音声を録音する録音手段、音声を録音した前記診察を識別する診察識別情報と、前記診察で処方する薬剤を示す薬剤情報とを含む処方情報を出力する処方情報出力手段、前記診察の際に録音した音声の音声情報と、前記診察識別情報とを送信する送信手段を備える医師端末と、出力された前記処方情報に含まれる診察識別情報と対応して送信された前記音声情報を記憶手段に記憶させた薬ケースを発行する発行手段を備える薬局端末とを有し、前記薬ケースは、前記記憶手段に記憶された前記音声情報の再生指示を受け付ける操作手段、前記再生指示に応じて記憶された前記音声情報の再生を行う音声再生手段を備えることを特徴とする。
【０００６】
また、実施形態の薬ケースは、診察の際に録音した音声の音声情報を記憶する記憶手段と、前記記憶手段に記憶された前記音声情報の再生指示を受け付ける操作手段と、前記再生指示に応じて記憶された前記音声情報の再生を行う音声再生手段と、を備えることを特徴とする。
【図面の簡単な説明】
【０００７】
【図１】図１は、第１の実施形態にかかる薬局システムの構成を示すブロック図である。
【図２】図２は、第２の実施形態にかかる薬局システムの構成を示すブロック図である。
【発明を実施するための形態】
【０００８】
以下に添付図面を参照して、実施形態にかかる薬局システム及び薬ケースの詳細を説明する。
【０００９】
［第１の実施形態］
図１は、第１の実施形態にかかる薬局システム１００ａの構成を示すブロック図である。図１に示すように、薬局システム１００ａは、医師端末１、薬局端末２、プリンタ３ａ、サーバ装置４、プリンタ３ａにより印刷されることで発行される薬ケース５を有する構成である。
【００１０】
医師端末１は、医師が診察時に使用するＰＣ（Personal  Computer）等の情報端末である。具体的には、医師端末１は、操作部１０、表示部１１、マイク１２、通信部１３、制御部１４を備える構成である。
【００１１】
操作部１０は、キーボードやマウスなどであり、医師の操作を受け付ける。具体的には、操作部１０は、電子カルテへの記載や、処方する薬剤の指定などを行うための、診察時における医師の操作を受け付ける。表示部１１は、ＬＣＤ（Liquid  Crystal  Display）などであり、制御部１４の制御の下、各種情報の表示画面や、操作部１０による操作時の操作画面などを表示する。マイク１２は、周囲の音声を取得する音声入力装置であり、診察時の会話を取得する。通信部１３は、制御部１４の制御の下、薬局端末２やサーバ装置４などの外部機器と所定の通信プロトコルを用いたデータ通信を行う。
【００１２】
制御部１４は、ＣＰＵ（Central  Processing  Unit）、ＲＯＭ（Read  Only  Memory）、ＲＡＭ（Random  Access  Memory）、ＨＤＤ（Hard  Disk  Drive）などを備え、医師端末１の動作を制御する。具体的には、ＣＰＵがＲＯＭやＨＤＤに記憶されたプログラムをＲＡＭに展開して順次実行することで、医師端末１の各部へ制御信号を出力する。また、制御部１４は、ＣＰＵがプログラムを順次実行することで、録音部１４１、処方情報出力部１４２、送信部１４３としての機能を有している。
【００１３】
録音部１４１は、診察の際にマイク１２より取得した音声を録音する。具体的には、録音部１４１は、医師が診察を開始する際に操作部１０より診察開始の操作指示を受け付けて、マイク１２による音声の取得を開始する。取得した音声にかかる音声情報はＨＤＤなどに一時記憶される。なお、音声情報は、ＷＡＶファイル等の各種機器で再生可能なファイルデータであってよい。次いで、録音部１４１は、医師が診察を終了する際に操作部１０より診察終了の操作指示を受け付けて、マイク１２による音声の取得を終了する。これにより、診察時の音声の音声情報がＨＤＤに記憶される。
【００１４】
処方情報出力部１４２は、録音部１４１により音声を録音した診察を識別する診察ＩＤ（診察識別情報）と、その診察で処方する薬剤を示す薬剤情報とを含む処方情報を出力する。具体的には、処方情報出力部１４２は、録音部１４１により音声の録音を行った診察ごとにユニークな診察ＩＤを発行する。そして、その診察の際には、処方する薬剤の薬剤名、分量、投薬方法などの薬剤情報の入力を操作部１０より受け付ける。処方情報出力部１４２は、発行した診察ＩＤと、受け付けた薬剤情報とを薬局への処方情報として通信部１３を介して薬局端末２へ通知する。なお、処方情報は、処方箋としてプリンタなどで印字出力してもよい。この場合、患者は、印字された処方箋を薬局へ持参することで、処方情報の通知が行われることとなる。
【００１５】
送信部１４３は、診察の際に録音した音声情報と、その診察の診察ＩＤとを通信部１３を介して薬局端末２やサーバ装置４などの外部機器へ送信する。具体的には、送信部１４３は、処方情報出力部１４２により処方情報が出力された際に、録音部１４１によりＨＤＤに一時記憶された音声情報を読み出し、出力された処方情報に含まれる診察ＩＤとともに外部機器への送信を行う。
【００１６】
薬局端末２は、薬局に設けられたＰＣ（Personal  Computer）等の情報端末である。薬局端末２には、薬ケース５を発行するためのプリンタ３ａが接続されている。プリンタ３ａは、薬ケース５の表面への印字や、薬ケース５の表面へ添付するラベルへの印字などを行うプリンタ装置である。薬局端末２は、医師端末１より通知された処方情報に含まれる診察ＩＤ５０をプリンタ３ａより薬ケース５に印字することで、診察ＩＤ５０の記録を行う。患者が処方箋を持参する場合には、処方箋に記載された処方情報をキーボードなどから入力し、入力された処方情報に含まれる診察ＩＤ５０が薬ケース５に印字される。薬局では、処方情報に含まれる薬剤情報にかかる薬剤を、発行された薬ケース５に入れて処方する。
【００１７】
なお、薬ケース５への診察ＩＤ５０の記録は、診察ＩＤ５０そのものを印字するだけでなく、バーコードや２次元コードに変換したものを印字してもよく、後述する端末装置７より入力可能な形態であれば何れであってもよい。また、本実施形態では、プリンタ３ａより印字して記録する構成を例示するが、診察ＩＤ５０の記録は、ＲＦＩＤ（Radio  Frequency  IDentification）などにより薬ケース５に設けられた無線タグに記録する構成であってもよい。この場合、端末装置７では、薬ケース５の無線タグを読み取る読取装置により診察ＩＤ５０の読み取りを行うこととなる。
【００１８】
サーバ装置４は、インターネット等の通信ネットワーク（図示しない）を介し、医師端末１や端末装置７と通信可能に接続する情報機器である。なお、端末装置７に対しては、例えばウエブサーバとして、端末装置７からの要求に応じた情報提供を行う。具体的には、サーバ装置４は、制御部４０、診察情報ＤＢ４１、通信部４２を備える構成である。
【００１９】
制御部４０は、ＣＰＵ、ＲＯＭ、ＲＡＭ、ＨＤＤなどを備え、サーバ装置４の動作を制御する。診察情報ＤＢ４１は、医師端末１より診察ＩＤとともに送信された音声情報を、診察ＩＤをキーとするレコードに記憶するデータベースである。したがって、診察情報ＤＢ４１は、診察ＩＤを指定することで、指定された診察ＩＤにかかる音声情報を参照することができる。通信部４２は、制御部４０の制御の下、通信ネットワークを介して接続する医師端末１や端末装置７と、所定の通信プロトコルを用いたデータ通信を行う。なお、制御部４０は、ＣＰＵがプログラムを順次実行することで、記録部４０１、送信部４０２、認証部４０３としての機能を有している。
【００２０】
記録部４０１は、医師端末１より診察ＩＤとともに送信された音声情報を通信部４２より受信し、診察情報ＤＢ４１の新たなレコードに記録する。送信部４０２は、通信部４２を介して接続する外部機器である端末装置７より通知された診察ＩＤに応じて、その診察ＩＤに対応した音声情報を診察情報ＤＢ４１より読み出す。次いで、送信部４０２は、読み出した音声情報をマイク１２を介して端末装置７へ送信する。
【００２１】
認証部４０３は、予め設定された認証データをもとに、通信部４２を介して接続する端末装置７の認証を行う。具体的には、認証データは、パスワードや個人を特定可能な個人情報（例えば診察券などに記載する個人ＩＤなど）であってよい。端末装置７では、認証部４０３で認証を行うため、パスワードや個人情報の入力を受け付けてサーバ装置４へ送信する。認証部４０３は端末装置７より送信された情報と認証データとを比較することで、端末装置７の認証を行う。送信部４０２では、認証部４０３により認証された端末装置７にのみ、上述した音声情報の送信を行う。これにより、診察時の音声である音声情報の秘匿性を高めることができる。
【００２２】
端末装置７は、薬ケース５を保有する患者が使用するための、ＰＣ（Personal  Computer）等の情報端末である。端末装置７は、ＣＰＵ、ＲＯＭ、ＲＡＭ、ＨＤＤ、キーボード、マウス、音声出力用のスピーカ、通信インタフェースなどを備えた一般的なＰＣであってよい。
【００２３】
上述したとおり、薬ケース５には、音声を録音した診察を識別する診察ＩＤ５０が記録されている。よって、患者は、診察時の会話を確認したい場合、サーバ装置４のウエブページを開いて、薬ケース５に記録されている診察ＩＤ５０をサーバ装置４に通知し、端末装置７に記憶された音声情報をダウンロードする。このダウンロードした音声情報を端末装置７で再生することで、患者は、薬剤を処方された際の医師の診察内容を確認することができる。例えば、診察時に指導された薬剤の飲み方などの会話を確認できる。また、薬剤以外の医師のアドバイス、例えば「お風呂に入ってよいですよ」なども確認することができる。
【００２４】
［第２の実施形態］
次に、第２の実施形態について説明する。第２の実施形態では、診察時の音声の音声情報を薬ケースのＩＣメモリに記憶させている。そして、薬ケースは、患者の操作指示に応じて記憶された診察時の音声を再生する。
【００２５】
図２は、第２の実施形態にかかる薬局システム１００ｂの構成を示すブロック図である。なお、薬局システム１００ｂにおいて、第１の実施形態にかかる薬局システム１００ａと略同一の構成については同じ符号を付している。
【００２６】
図２に示すように、薬局端末２には、ＩＣメモリへのデータの読み書きを行う読取／書込装置３ｂが接続されている。薬ケース５ａは、記憶部５１、操作部５２、音声再生部５３、計時部５４を備える構成である。
【００２７】
記憶部５１は、読取／書込装置３ｂによるデータの読み書きが可能なＩＣメモリ等である。薬局端末２は、送信部１４３より診察ＩＤとともに送信される音声情報の中で、医師端末１より通知された処方情報に含まれる診察ＩＤに対応する音声情報５１１を読取／書込装置３ｂにより記憶部５１に書き込む。すなわち、記憶部５１には、薬ケース５ａに入れて処方される薬剤について、診察の際に録音した音声の音声情報５１１が記憶される。
【００２８】
また、音声情報５１１を書き込む際に、処方情報に含まれる薬剤情報をもとに、その薬剤情報が示す薬剤の投薬にかかる時刻情報５１２を記憶部５１に書き込む。具体的には、薬剤情報には朝、昼、夕などを指定した投薬方法が記述されていることから、指定された投薬方法をもとに換算した投薬の時刻を時刻情報５１２として記憶部５１に書き込む。例えば、投薬方法として朝、昼、夕が指定されている場合は、朝、昼、夕の時刻に該当する８：００、１２：００、１８：００を時刻情報５１２として記憶部５１に書き込む。
【００２９】
操作部５２は、ユーザの操作を受け付ける操作ボタンなどである。具体的には、操作部５２は、記憶部５１に記憶された音声情報５１１の再生指示を受け付ける。音声再生部５３は、音声再生回路、アンプ、スピーカなど（何れも図示しない）を備え、操作部５２の再生指示に応じて記憶部５１に記憶された音声情報５１１を読み出して再生する。計時部５４は、水晶発振器などにより現在時刻を計時する回路である。
【００３０】
第２の実施形態において、患者は、診察の際に処方された薬ケース５ａの操作部５２を操作して音声情報５１１を再生することで、その診察時における会話を確認することができる。
【００３１】
また、音声再生部５３は、計時部５４により計時される現在時刻が時刻情報５１２が示す時刻に該当する場合、予め設定された報知音などによる音声報知を行う。この音声報知により、患者は、投薬の時刻を容易に知ることができる。
【符号の説明】
【００３２】
１００ａ、１００ｂ…薬局システム、１…医師端末、２…薬局端末、３ａ…プリンタ、３ｂ…読取／書込装置、４…サーバ装置、５、５ａ…薬ケース、７…端末装置、１０…操作部、１１…表示部、１２…マイク、１３…通信部、１４…制御部、４０…制御部、４１…診察情報ＤＢ、４２…通信部、５０…診察ＩＤ、５１…記憶部、５２…操作部、５３…音声再生部、５４…計時部、１４１…録音部、１４２…処方情報出力部、１４３…送信部、４０１…記録部、４０２…送信部、４０３…認証部、５１１…音声情報、５１２…時刻情報
【先行技術文献】
【特許文献】
【００３３】
【特許文献１】特開２０１０−６８８９９公報
【図１】
2012113550.tif 000003
【図２】
2012113550.tif 000004
【手続補正書】
【提出日】平成23年5月10日(2011.5.10)
【手続補正１】
【補正対象書類名】明細書
【補正対象項目名】００２２
【補正方法】変更
【補正の内容】
【００２２】
端末装置７は、薬ケース５を保有する患者が使用するための、ＰＣ（Personal  Computer）等の情報端末である。端末装置７は、ＣＰＵ、ＲＯＭ、ＲＡＭ、ＨＤＤ、キーボード、マウス、音声出力用のスピーカ、通信インタフェースなどを備えた一般的なＰＣや携帯電話（携帯端末）などの情報端末であってよい。